(57)【要約】【課題】部材間の狭小隙間を通じたアクセスのみで部材同士を接合することができる部材同士の接合構造を提供する。【解決手段】一方の部材１にナット６が狭小隙間５とは反対の側において通孔３と同軸状態となるように取り付けられ、もう一方の部材２にボルト７がその頭部７ａを狭小隙間５とは反対の側に位置させ、軸部７ｂを通孔４に通し、ストッパー９を狭小隙間５の側に位置させ、頭部７ａとストッパー９とで回転可能な両方向抜止め状態に保持されている。そして、ボルト７が狭小隙間５を通じたストッパー９に対する回転操作で一方の部材１のナット６に螺合されると共に、ストッパー９ともう一方の部材２との間に狭小隙間５を通じてスペーサー８が打ち込まれて部材１，２同士が接合されている。【選択図】      図１
2006200275.tif 000002
【特許請求の範囲】
【請求項１】
一方の部材ともう一方の部材とをボルト接合する部材同士の接合方法であって、
ナットと、
軸部の長さ方向中間部に回転操作可能なストッパーが軸部と一体回転するように設けられた頭付きボルトと、
スペーサーと
が備えられ、
各部材に接合用の通孔が設けられると共に、部材間に狭小隙間が設けられ、
一方の部材に、前記ナットが、狭小隙間とは反対の側において、通孔と同軸状態となるように取り付けられ、
もう一方の部材に、ボルトが、その頭部を狭小隙間とは反対の側に位置させ、軸部を通孔に通し、ストッパーを狭小隙間の側に位置させ、頭部とストッパーとで回転可能な両方向抜止め状態に保持され、
前記ボルトが、狭小隙間を通じたストッパーに対する回転操作で、前記一方の部材のナットに必要深さまで螺合されると共に、
ストッパーと前記もう一方の部材との間に前記狭小隙間を通じてスペーサーが打ち込まれていることを特徴とする部材同士の接合構造。
【請求項２】
前記両部材が、隣り合う外壁パネルの最側部に備えられて互いに隣り合う縦パネルフレームからなる請求項１に記載の部材同士の接合構造。
【発明の詳細な説明】
【技術分野】
【０００１】
本発明は、外壁パネル縦フレーム等の部材同士の接合構造に関する。
【背景技術】
【０００２】
鉄骨造建物において、隣り合う一方の外壁パネルの最側部の縦パネルフレームと、もう一方の外壁パネルの最側部の縦パネルフレームとを、ボルトで接合する工法がある。
【発明の開示】
【発明が解決しようとする課題】
【０００３】
しかしながら、この工法において従来より用いられているボルト接合構造では、ボルトやナットの回転操作のために、隣り合わせた縦パネルフレームの対向する側とは反対の側からのアクセスを行う必要があり、そのため、そのようなアクセスが困難ないしは不可能な、例えば閉鎖形の外壁パネルの縦パネルフレーム同士の接合には、上記のような接合構造を用いることができない。
【０００４】
本発明は、上記のような問題点に鑑み、部材間の狭小隙間を通じたアクセスのみで部材同士を接合することができる部材同士の接合構造を提供することを課題とする。
【課題を解決するための手段】
【０００５】
上記の課題は、一方の部材ともう一方の部材とをボルト接合する部材同士の接合方法であって、
ナットと、
軸部の長さ方向中間部に回転操作可能なストッパーが軸部と一体回転するように設けられた頭付きボルトと、
スペーサーと
が備えられ、
各部材に接合用の通孔が設けられると共に、部材間に狭小隙間が設けられ、
一方の部材に、前記ナットが、狭小隙間とは反対の側において、通孔と同軸状態となるように取り付けられ、
もう一方の部材に、ボルトが、その頭部を狭小隙間とは反対の側に位置させ、軸部を通孔に通し、ストッパーを狭小隙間の側に位置させ、頭部とストッパーとで回転可能な両方向抜止め状態に保持され、
前記ボルトが、狭小隙間を通じたストッパーに対する回転操作で、前記一方の部材のナットに必要深さまで螺合されると共に、
ストッパーと前記もう一方の部材との間に前記狭小隙間を通じてスペーサーが打ち込まれていることを特徴とする部材同士の接合構造によって解決される。
【０００６】
この接合構造では、一方の部材にナットが取り付けられており、もう一方の部材にボルトがその頭部とストッパーとで両方向抜止め状態となるように取り付け保持されているので、部材同士の接合に際して、ボルトやナットを狭小隙間とは反対の側からセッティングする作業を行う必要がない。
【０００７】
しかも、接合作業においては、狭小隙間を通じてストッパーを回転操作することで、ボルトを前記一方の部材のナットに必要深さまで螺合し、そして、ストッパーと前記もう一方の部材との間に前記狭小隙間を通じてスペーサーを打ち込めば、部材同士は接合され、そのいずれの工程をも狭小隙間を通じたアクセスで行うことができる。このように、上記の接合構造によれば、部材間の狭小隙間を通じたアクセスのみで部材同士を接合することができる。
【０００８】
上記の接合構造において、両部材が、隣り合う外壁パネルの最側部に備えられて互いに隣り合う縦パネルフレームからなる場合は、外壁パネルが閉鎖形であるか否かを問わず、外壁パネルの縦パネルフレーム同士を、これら縦パネルフレーム間の狭小隙間を通じたアクセスのみで接合することができる。
【発明の効果】
【０００９】
本発明は、以上のとおりのものであるから、部材間の狭小隙間を通じたアクセスのみで部材同士をボルト接合することができる。
【発明を実施するための最良の形態】
【００１０】
次に、本発明の実施最良形態を図面に基づいて説明する。
【００１１】
図１に示す実施形態の接合構造において、１は一方の部材、２はもう一方の部材であり、これら部材１，２は、隣り合う各外壁パネルの最側部に備えられて互いに隣り合わされる溝形の第１，第２の縦パネルフレームからなり、これら縦パネルフレーム１，２は、それらの間に例えば１０ｍｍ程度の狭小隙間５をおいて、溝形の背面側を向き合わせるようにして備えられ、各縦パネルフレーム１，２の溝底の壁面部には接合のための通孔３，４が同軸状態に設けられている。
【００１２】
これら第１，第２の縦パネルフレーム１，２同士を接合するのに用いるのが、ナット６と、頭付きボルト７と、スペーサー８である。
【００１３】
ナット６は、第１縦パネルフレーム１の溝内の側に、通孔３と同軸状態となるように配置され、溶接などにより第１縦パネルフレーム１に固定状態に取り付けられている。
【００１４】
頭付きボルト７は、第２縦パネルフレーム２に、その頭部７ａを溝内の側に位置させ、軸部７ｂを通孔４に通すようにして備えられている。そして、狭小隙間５の側にはストッパー９が備えられ、該ストッパー９が頭付きボルト７の軸部７ｂの長さ方向中間部に軸部７ｂと一体回転するように取り付けられており、頭付きボルト７は、その頭部７ａとストッパー９とで回転可能な両方向抜止め状態にされて第２縦パネルフレーム２に取付け保持されている。
【００１５】
上記のストッパー９は、このように、ボルト７を第２縦パネルフレーム２に保持状態にするのに用いられるほか、ボルト７を狭小隙間５を通じて回転操作するのに用いられるものであり、つば状をしており、外周は六角などの異形状をしていて、レンチなどの工具を用い、狭小隙間５を通じてストッパー９を回転操作することにより、ボルト７を回転させることができるようになされている。
【００１６】
スペーサー８は、縦パネルフレーム１，２間の狭小隙間５を通じて、ストッパー９と第２縦パネルフレーム２との間に打ち込まれるもので、くさび形状をしていると共に、ボルト７の軸部７ｂを受け入れる切欠き部８ａが備えられて二股状をしている。
【００１７】
縦パネルフレーム１，２同士の接合は、次のようにして行う。即ち、図２（イ）（ロ）に示すように、外壁パネルの建方において、隣り合う外壁パネルの縦パネルフレーム１，２を互いに隣り合わせ状態にして、ボルト７とナット６を同軸状態にする。
【００１８】
その後、レンチなどの工具を用い、図２（ハ）に示すように、縦パネルフレーム１，２間の狭小隙間５を通じてストッパー９を回転させてボルト７の軸部７ｂをナット６に螺合させていき、そして、ストッパー９の締込みを行って、図２（ニ）に示すように、ストッパー９とナット６とで第１縦パネルフレーム１を挟み込んだ状態にする。
【００１９】
しかる後、同図に示すように、スペーサー８を、上記の狭小隙間５を通じてストッパー９と第２縦パネルフレーム２との間に打ち込み、第２縦パネルフレーム２の溝内の底壁部をスペーサー８とボルト頭部７ａとで挟み込んだ状態にする。こうして、縦パネルフレーム１，２同士が接合される。
【００２０】
上記の接合構造では、第１縦パネルフレーム１にナット６が取り付けられ、第２縦パネルフレーム２にボルト７がその頭部７ａとストッパー９とで両方向抜止め状態となるように取り付け保持されているので、縦パネルフレーム１，２同士の接合に際して、ボルト７やナット６を狭小隙間５とは反対の側からセッティングする作業を行う必要がない。
【００２１】
また、接合作業においては、縦パネルフレーム１，２間の狭小隙間５を通じてストッパー９を回転操作し、そして、同狭小隙間５を通じてスペーサー８をストッパー９と第２縦パネルフレーム２との間に打ち込めば、両縦パネルフレーム１，２は接合されるので、そのいずれの工程においても狭小隙間５とは反対の側からのアクセスは必要なく、狭小隙間５を通じたアクセスのみで両縦パネルフレーム１，２を接合することができる。
【００２２】
しかも、本実施形態では、第１縦パネルフレーム１はストッパー９とナット６に挟み込まれて固定され、第２縦パネルフレーム２はボルト頭部７ａとスペーサー８に挟み込まれて固定されるので、ガタツキのないしっかりとした接合状態を形成することができる。
【００２３】
なお、隣り合う外壁パネルの縦パネルフレーム１，２同士の接合に上記の接合構造を用いる場合、他の外壁パネルや周囲構造部分などとの関係で、図３（イ）に示すように、ストッパー９とナット６による第１縦パネルフレーム１の挟込みの固定ができなかったり、図３（ロ）に示すように、ボルト頭部７ａとスペーサー８による第２縦パネルフレーム２の挟込みの固定ができなかったり、あるいは、図３（ハ）に示すように、それら両方の挟込みの固定ができなかったりする場合もあるが、それらの接合状態においても、他の外壁パネルや周囲構造部分などとの関係でガタツキの無い固定の接合状態を得ることが可能であり、また、そのような接合状態を用いることで、外壁パネルの建方を目違いを生じさせることなく行っていくことができる。
【００２４】
以上に、本発明の実施形態を示したが、本発明はこれに限られるものではなく、発明思想を逸脱しない範囲で各種の変更が可能である。例えば、上記の実施形態では、隣り合う外壁パネルの縦パネルフレーム同士を接合する場合を示したが、本発明の接合構造は、これに限らず、各種部材の接合に広く用いることができるものである。また、本発明の接合構造では、頭付きボルトや、ストッパー、スペーサー、ナットの具体的形態に制限はなく各種形態をしていてよい。スペーサーについてはくさび形のものに限らず、先端テーパーの定厚スペーサーなどが用いられてもよい。
【図面の簡単な説明】
【００２５】
【図１】実施形態の接合構造を示すもので、図（イ）は分解断面平面図、図（ロ）は断面平面図である。
【図２】図（イ）〜図（ニ）は接合方法を順次に示す断面平面図である。
【図３】図（イ）〜図（ハ）はそれぞれ、接合状態の他の例を示す断面平面図である。
【符号の説明】
【００２６】
１…第１縦パネルフレーム
２…第２縦パネルフレーム
３，４…通孔
５…狭小隙間
６…ナット
７…頭付きボルト
７ａ…ボルト頭部
７ｂ…軸部
８…スペーサー
９…ストッパー
【図１】
2006200275.tif 000003
【図２】
2006200275.tif 000004
【図３】
2006200275.tif 000005